(57)【要約】【課題】照射される光の効率を維持しながら、別途特別な構造を設けることなく、簡単に空調機能を持たせることができる照明装置を提供することにある。【解決手段】複数の照明器具（１）が天井面に取り付けられてなる照明装置であって、上記照明器具（１）どうしの間に設備プレート（２）を設けるとともに、この設備プレート（２）の端部と上記照明器具（１）の端縁との間に隙間（３）を形成して、この隙間（３）に天井側へ空気が吸い込まれる空調吸込口（４）を設けた。【選択図】    図１
2004257701.tif 000002
【特許請求の範囲】
【請求項１】
複数の照明器具が天井面に取り付けられてなる照明装置であって、上記照明器具どうしの間に設備プレートを設けるとともに、この設備プレートの端部と上記照明器具の端縁との間に隙間を形成して、この隙間に天井側へ空気が吸い込まれる空調吸込口を設けたことを特徴とする照明装置。
【請求項２】
上記設備プレートの端部が、上記照明器具の端縁よりも上方に設けられて、この上方に設けられた設備プレートの端部と同照明器具の端縁との間に隙間を形成していることを特徴とする請求項１記載の照明装置。
【請求項３】
上記設備プレートの端部に上方へ立ち上げた垂直片とこの垂直片の端縁より水平に向けられた水平片とを設け、この垂直片と水平片、および、上記照明器具との間に空気が流れる通路を形成して、この通路の下端を上記空調吸込口となしたことを特徴とする請求項１または請求項２記載の照明装置。
【請求項４】
上記照明器具の端縁から上記設備プレートの端部の方へ水平に向けられた器具水平片を設けたことを特徴とする請求項３記載の照明装置。
【請求項５】
上記器具水平片の上方で上記設備プレートの水平片が覆い被さるように配置されたことを特徴とする請求項４記載の照明装置。
【発明の詳細な説明】
【０００１】
【発明の属する技術分野】
本発明は、照明装置に関し、さらに詳しくは、複数の照明器具が天井面に取り付けられてなっているものであり、しかも、天井裏を利用した空調リターンの機能を有している照明装置に関するものである。
【０００２】
【従来の技術】
従来の空調機能を有している照明装置としては、例えば、図８に示すごとく、両側に設けたＴ字型バー状の取付具（８）を介して、天井板（１２）に複数の照明器具（１）がライン状に取り付けられていたものであり、この照明器具（１）の反射板部（１１）において、ランプ（７）の直上部分を開口させて、この開口を天井側へ空気が吸い込まれる空調吸込口（４）としていたものが知られていたものであった。
【０００３】
他には、図９に示すごとく、格子状に組まれたＴ字型バー状の取付具（８）を介して、２つの照明器具（１）が配置されるとともに、この照明器具（１）どうしの間に設備プレート（２）を設けていたものであり、さらに、この照明器具（１）と上記取付具（８）との間に隙間部分を設けて、この隙間部分を天井側へ空気が吸い込まれる空調吸込口（４）としていたものも知られていたものであった。なお、この場合、照明器具（１）の反射板部（１１）やランプ（７）は、図８に示す場合と同様に配置されるものである。
【０００４】
さらに、下記の特許文献１に示したような特開平５−１７１７３２号公報に開示されているものも知られていたものである。この公報によると、図１０に示すごとく、正方形の格子状に組み合わされた天井バー（１５）と、この天井バー（１５）の間の開口部を閉じるように取り付けられる天井板（１２）とを設けるとともに、天井板（１２）を設ける以外の開口部分に照明器具（１）を取り付けたり、設備部分（１３）を設けて、この設備部分（１３）に空調用ダクト（１４）やスピーカー（１６）を繋いだりしていたものであった。なお、この場合、照明器具（１）の反射板部（１１）などは、図８や図９に示す場合と同様に配置されるものである。
【０００５】
【特許文献１】
特開平５−１７１７３２号公報
【０００６】
【発明が解決しようとする課題】
しかしながら、このような照明装置においては、まず、図８に示す場合であると、天井側へ空気が吸い込まれる空調吸込口（４）がランプ（７）の直上部分にあるために、空調機能を持たせながら、空調吸込口（４）が目立たず、外観上での見栄えとしても良いものであるが、同空調吸込口（４）が照明器具（１）の反射板部（１１）を開口して設けられたものであるために、ランプ（７）から照射される光が天井裏の方へ空調吸込口（４）を通って直に漏れるものであり、結果として、照射される光の効率は低下するものである。
【０００７】
また、図９に示す場合であると、天井側へ空気が吸い込まれる空調吸込口（４）が照明器具（１）と取付具（８）との間にあるために、ランプ（７）から照射される光が天井裏の方へ直に漏れることはなくて、照射される光の効率は低下しないものの、照明器具（１）と取付具（８）との間に空調吸込口（４）を設けるための隙間部分が必要である上に、照明器具（１）と取付具（８）との間に隙間部分、すなわち、空調吸込口（４）が設けられているために、この部分から取付具（８）の側面や天井のふところ内部が見えて、外観上での見栄えが良くないものであった。
【０００８】
ところで、図９に示す場合、照明器具（１）の反射板部（１１）上面と略面一状にカバー（１７）が別途取り付けられることで、外観上での見栄えを良くする工夫がなされるものの、部材点数が増える上に、現場での施工としては面倒なものであった。
【０００９】
そして、図１０に示す場合であると、天井側へ空気が吸い込まれる空調吸込口（４）がないものの、設備部分（１３）に空調用ダクト（１４）を繋ぐことで天井側へ空気が吸い込まれるようにすることができるものである。しかしながら、空調用ダクト（１４）と直に繋がっているために、天井裏を利用した空調リターンをさせたりすることはできず、しかも、同空調用ダクト（１４）の配管施工などが必要となり、現場での施工としては面倒なものであった。
【００１０】
本発明は、上述の事実に鑑みてなされたものであって、その目的とするところは、照射される光の効率を維持しながら、別途特別な構造を設けることなく、簡単に空調機能を持たせることができる照明装置を提供することにある。
【００１１】
【課題を解決するための手段】
本発明の請求項１に係る照明装置は、複数の照明器具（１）が天井面に取り付けられてなる照明装置であって、上記照明器具（１）どうしの間に設備プレート（２）を設けるとともに、この設備プレート（２）の端部と上記照明器具（１）の端縁との間に隙間（３）を形成して、この隙間（３）に天井側へ空気が吸い込まれる空調吸込口（４）を設けたことを特徴とする。
【００１２】
本発明の請求項２に係る照明装置は、上記設備プレート（２）の端部が、上記照明器具（１）の端縁よりも上方に設けられて、この上方に設けられた設備プレート（２）の端部と同照明器具（１）の端縁との間に隙間（３）を形成していることを特徴とする。
【００１３】
本発明の請求項３に係る照明装置は、上記設備プレート（２）の端部に上方へ立ち上げた垂直片（５）とこの垂直片（５）の端縁より水平に向けられた水平片（６）とを設け、この垂直片（５）と水平片（６）、および、上記照明器具（１）との間に空気が流れる通路（１０）を形成して、この通路（１０）の下端を上記空調吸込口（４）となしたことを特徴とする。
【００１４】
本発明の請求項４に係る照明装置は、上記照明器具（１）の端縁から上記設備プレート（２）の端部の方へ水平に向けられた器具水平片（９）を設けたことを特徴とする。
【００１５】
本発明の請求項５に係る照明装置は、上記器具水平片（９）の上方で上記設備プレート（２）の水平片（６）が覆い被さるように配置されたことを特徴とする。
【００１６】
【発明の実施の形態】
以下、本発明の実施の形態を図面に基づいて詳細に説明する。
【００１７】
図１は、本発明の一実施形態に係る照明装置を下方からみた平面図である。図２は、本発明の他の一実施形態に係る照明装置を下方からみた要部の平面図である。
【００１８】
また、図３は、図１のＡ−Ａ線で切った第１の実施形態に係る照明装置を示した断面図である。図４は、図１のＡ−Ａ線で切った第２の実施形態に係る照明装置を示した断面図である。図５は、図１のＡ−Ａ線で切った第３の実施形態に係る照明装置を示した断面図である。
【００１９】
さらに、図６は、図２のＢ−Ｂ線で切った一実施形態に係る照明装置を示した断面図である。それから、図７は、図１のＡ−Ａ線で切った第４の実施形態に係る照明装置を示した断面図である。
【００２０】
本発明の照明装置は、図１ないし図７に示すごとく、複数の照明器具（１）が天井面に取り付けられてなる照明装置であって、上記照明器具（１）どうしの間に設備プレート（２）を設けるとともに、この設備プレート（２）の端部と上記照明器具（１）の端縁との間に隙間（３）を形成して、この隙間（３）に天井側へ空気が吸い込まれる空調吸込口（４）を設けているものである。
【００２１】
上記照明器具（１）内には、蛍光灯などのように通常用いられるランプ（７）が１個ないし複数個取り付けられているものである。この照明器具（１）の内面周囲には、上記ランプ（７）から照射される光を反射する反射板部（１１）が形成されているものである。反射板部（１１）としては、アルミニウム板、銀板あるいは、樹脂板の表面にアルミニウム膜、銀膜などのような金属製の膜が設けられたものが通常採用されているものであるが、光を反射させることができるものであれば、その他の材質のものが採用されたとしてもかまわないものである。そして、この照明器具（１）は、図１および図２に示すごとく、複数設けられているものであって、天井面に取り付けられてなっているものである。
【００２２】
なお、上記複数の照明器具（１）の配置としては、図１に示すごとく、両側に設けたＴ字型バー状の取付具（８）を介して、ライン状に取り付けられているものであってもかまわないし、他には、図２に示すごとく、格子状に組まれたＴ字型バー状の取付具（８）を介して、２つの照明器具（１）が配置されるとともに、この照明器具（１）どうしの間に設備プレート（２）を設けているようなものであってもかまわないものである。
【００２３】
上記設備プレート（２）は、図１および図２に示すごとく、上記照明器具（１）どうしの間に設けられているものである。この設備プレート（２）としては、様々なものを採用することができて、特に制限されるものではないが、例えば、通常のシステム天井などに用いられる板状のものでかまわないものである。
【００２４】
上記隙間（３）は、図１ないし図７に示すごとく、上記設備プレート（２）の端部と上記照明器具（１）の端縁との間に形成されているものである。この隙間（３）のサイズなどは、上記照明器具（１）の大きさや外観上での見栄えなどに応じて、自由自在に設定されるものである。
【００２５】
上記空調吸込口（４）は、図１ないし図７に示すごとく、上記隙間（３）に設けられているものであって、天井側へ空気が吸い込まれる口である。すなわち、この空調吸込口（４）は、上記隙間（３）そのものを利用しているものであって、天井側への入口部分を同天井側へ空気が吸い込まれる口となしているものである。
【００２６】
本発明は、このような構成をとることによって、複数の照明器具（１）を天井面に取り付けるとともに、同照明器具（１）どうしの間に設けられる設備プレート（２）の端部と同照明器具（１）の端縁との間に隙間（３）を形成するだけで、この隙間（３）を空調吸込口（４）とすることができるものであり、別途特別な構造を設けることなく、簡単な施工で空調吸込口（４）にて天井側へ空気が吸い込まれるようにする空調機能を持たせることができ、しかも、空調吸込口（４）を形成するために、照明器具（１）を開口する必要がなくなり、ランプから照射される光が天井裏の方へ空調吸込口（４）を通って直に漏れることもなくなり、結果として、照射される光の効率は維持されるものである。そのうえ、空調吸込口（４）にて直に天井側へ空気が吸い込まれるようにするので、空調用ダクトなどを繋ぐ必要もなく、同空調用ダクトなどの配管施工などが不要となり、結果として、現場での施工としても簡単なものとなり、また、天井裏を利用した空調リターンをさせたりすることもできるものである。
【００２７】
すなわち、本発明の照明装置は、照射される光の効率を維持しながら、別途特別な構造を設けることなく、簡単に空調機能を持たせることができるものである。
【００２８】
また、図４に示すごとく、上記設備プレート（２）の端部が、上記照明器具（１）の端縁よりも上方に設けられて、この上方に設けられた設備プレート（２）の端部と同照明器具（１）の端縁との間に隙間（３）を形成しているものであると、このような上方に設けられた設備プレート（２）の端部と照明器具（１）の端縁との間に形成された垂直方向の隙間（３）により、水平方向の隙間は全くなくても、設備プレート（２）の端部と照明器具（１）の端縁との間に空調吸込口（４）を形成することができるものとなり、この空調吸込口（４）にて天井側へ空気が吸い込まれるようにする空調機能を維持させながら、この空調吸込口（４）部分は水平方向の隙間は全くないために、取付具（８）の側面や天井のふところ内部が確実に見えなくなり、結果として、外観上での見栄えが確実に良くなるものである。
【００２９】
そして、図５および図７に示すごとく、上記設備プレート（２）の端部に上方へ立ち上げた垂直片（５）とこの垂直片（５）の端縁より水平に向けられた水平片（６）とを設け、この垂直片（５）と水平片（６）、および、上記照明器具（１）との間に空気が流れる通路（１０）を形成して、この通路（１０）の下端を上記空調吸込口（４）となしているものであると、設備プレート（２）の端部に上方へ立ち上げた垂直片（５）とこの垂直片（５）の端縁より水平に向けられた水平片（６）とにより、空気が流れる通路（１０）を確実に確保して、空調吸込口（４）から天井側へ空気が吸い込まれるようにする空調機能を充分に維持しながら、同垂直片（５）と同水平片（６）とにより、取付具（８）の側面や天井のふところ内部が確実に見えなくなり、結果として、外観上での見栄えが確実に良くなるものである。
【００３０】
さらに、図３、図４、図６および図７に示すごとく、上記照明器具（１）の端縁から上記設備プレート（２）の端部の方へ水平に向けられた器具水平片（９）を設けているものであると、空調吸込口（４）から天井側へ空気が吸い込まれるようにする空調機能を充分に維持しながら、このような照明器具（１）の端縁から設備プレート（２）の端部の方へ水平に向けられた器具水平片（９）にて取付具（８）の側面や天井のふところ内部を隠して、確実に見えなくしているものであり、結果として、外観上での見栄えが確実に良くなるものである。
【００３１】
なお、上記垂直片（５）と上記水平片（６）や上記器具水平片（９）などは、曲げ加工により簡単に形成することができるものであり、このような部材を別途設ける必要はないものである。
【００３２】
しかも、図７に示すごとく、上記器具水平片（９）の上方で上記設備プレート（２）の水平片（６）が覆い被さるように配置されているものであると、空調吸込口（４）から天井側へ空気が吸い込まれるようにする空調機能を充分に維持しながら、このような器具水平片（９）の上方で覆い被さるように配置されている設備プレート（２）の水平片（６）にて取付具（８）の側面や天井のふところ内部を隠して、確実に見えなくしているものであり、結果として、外観上での見栄えが確実に良くなるものである。
【００３３】
本発明に係る照明装置によると、図１ないし図７に示すごとく、複数の照明器具（１）が天井面に取り付けられてなる照明装置であって、上記照明器具（１）どうしの間に設備プレート（２）を設けるとともに、この設備プレート（２）の端部と上記照明器具（１）の端縁との間に隙間（３）を形成して、この隙間（３）に天井側へ空気が吸い込まれる空調吸込口（４）を設けたので、複数の照明器具（１）を天井面に取り付けるとともに、同照明器具（１）どうしの間に設けられる設備プレート（２）の端部と同照明器具（１）の端縁との間に隙間（３）を形成するだけで、この隙間（３）を空調吸込口（４）とすることができるものであり、別途特別な構造を設けることなく、簡単な施工で空調吸込口（４）にて天井側へ空気が吸い込まれるようにする空調機能を持たせることができ、しかも、空調吸込口（４）を形成するために、照明器具（１）を開口する必要がなくなり、ランプから照射される光が天井裏の方へ空調吸込口（４）を通って直に漏れることもなくなり、結果として、照射される光の効率は維持されるものである。そのうえ、空調吸込口（４）にて直に天井側へ空気が吸い込まれるようにするので、空調用ダクトなどを繋ぐ必要もなく、同空調用ダクトなどの配管施工などが不要となり、結果として、現場での施工としても簡単なものとなり、また、天井裏を利用した空調リターンをさせたりすることもできるものである。
【００３４】
すなわち、本発明の照明装置は、照射される光の効率を維持しながら、別途特別な構造を設けることなく、簡単に空調機能を持たせることができるものである。
【００３５】
【発明の効果】
本発明の請求項１に係る照明装置によると、複数の照明器具（１）を天井面に取り付けるとともに、同照明器具（１）どうしの間に設けられる設備プレート（２）の端部と同照明器具（１）の端縁との間に隙間（３）を形成するだけで、この隙間（３）を空調吸込口（４）とすることができるものであり、別途特別な構造を設けることなく、簡単な施工で空調吸込口（４）にて天井側へ空気が吸い込まれるようにする空調機能を持たせることができ、しかも、空調吸込口（４）を形成するために、照明器具（１）を開口する必要がなくなり、ランプから照射される光が天井裏の方へ空調吸込口（４）を通って直に漏れることもなくなり、結果として、照射される光の効率は維持されるものである。そのうえ、空調吸込口（４）にて直に天井側へ空気が吸い込まれるようにするので、空調用ダクトなどを繋ぐ必要もなく、同空調用ダクトなどの配管施工などが不要となり、結果として、現場での施工としても簡単なものとなり、また、天井裏を利用した空調リターンをさせたりすることもできるものである。
【００３６】
すなわち、本発明の照明装置は、照射される光の効率を維持しながら、別途特別な構造を設けることなく、簡単に空調機能を持たせることができるものである。
【００３７】
本発明の請求項２に係る照明装置によると、請求項１記載の場合に加えて、このような上方に設けられた設備プレート（２）の端部と照明器具（１）の端縁との間に形成された垂直方向の隙間（３）により、水平方向の隙間は全くなくても、設備プレート（２）の端部と照明器具（１）の端縁との間に空調吸込口（４）を形成することができるものとなり、この空調吸込口（４）にて天井側へ空気が吸い込まれるようにする空調機能を維持させながら、この空調吸込口（４）部分は水平方向の隙間は全くないために、取付具（８）の側面や天井のふところ内部が確実に見えなくなり、結果として、外観上での見栄えが確実に良くなるものである。
【００３８】
本発明の請求項３に係る照明装置によると、請求項１または請求項２記載の場合に加えて、設備プレート（２）の端部に上方へ立ち上げた垂直片（５）とこの垂直片（５）の端縁より水平に向けられた水平片（６）とにより、空気が流れる通路（１０）を確実に確保して、空調吸込口（４）から天井側へ空気が吸い込まれるようにする空調機能を充分に維持しながら、同垂直片（５）と同水平片（６）とにより、取付具（８）の側面や天井のふところ内部が確実に見えなくなり、結果として、外観上での見栄えが確実に良くなるものである。
【００３９】
本発明の請求項４に係る照明装置によると、請求項３記載の場合に加えて、空調吸込口（４）から天井側へ空気が吸い込まれるようにする空調機能を充分に維持しながら、このような照明器具（１）の端縁から設備プレート（２）の端部の方へ水平に向けられた器具水平片（９）にて取付具（８）の側面や天井のふところ内部を隠して、確実に見えなくしているものであり、結果として、外観上での見栄えが確実に良くなるものである。
【００４０】
本発明の請求項５に係る照明装置によると、請求項４記載の場合に加えて、空調吸込口（４）から天井側へ空気が吸い込まれるようにする空調機能を充分に維持しながら、このような器具水平片（９）の上方で覆い被さるように配置されている設備プレート（２）の水平片（６）にて取付具（８）の側面や天井のふところ内部を隠して、確実に見えなくしているものであり、結果として、外観上での見栄えが確実に良くなるものである。
【図面の簡単な説明】
【図１】本発明の一実施形態に係る照明装置を下方からみた平面図である。
【図２】本発明の他の一実施形態に係る照明装置を下方からみた要部の平面図である。
【図３】図１のＡ−Ａ線で切った第１の実施形態に係る照明装置を示した断面図である。
【図４】図１のＡ−Ａ線で切った第２の実施形態に係る照明装置を示した断面図である。
【図５】図１のＡ−Ａ線で切った第３の実施形態に係る照明装置を示した断面図である。
【図６】図２のＢ−Ｂ線で切った一実施形態に係る照明装置を示した断面図である。
【図７】図１のＡ−Ａ線で切った第４の実施形態に係る照明装置を示した断面図である。
【図８】一従来例に係る照明装置を示した要部の断面図である。
【図９】他の一従来例に係る照明装置を示した要部の断面図である。
【図１０】さらに他の一従来例に係る照明装置を示した斜視図である。
【符号の説明】
１    照明器具
２    設備プレート
３    隙間
４    空調吸込口
５    垂直片
６    水平片
９    器具水平片
１０  通路
【図１】
2004257701.tif 000003
【図２】
2004257701.tif 000004
【図３】
2004257701.tif 000005
【図４】
2004257701.tif 000006
【図５】
2004257701.tif 000007
【図６】
2004257701.tif 000008
【図７】
2004257701.tif 000009
【図８】
2004257701.tif 000010
【図９】
2004257701.tif 000011
【図１０】
2004257701.tif 000012